(57)【要約】【課題】  位置決めや施工がし易いと共に、加圧時の伸びが少なく、工場生産時に耐圧テストが実施できて品質管理が容易であり、施工時の配管経路が保たれて柱や壁、天井等と緩衝せず、また、地震時には、給水管等の固定配管やスプリンクラーヘッド等へのダメージを少なくできるようにする。【解決手段】  一端部が給水管に接続されると共に、他端部がスプリンクラーヘッドに接続されるスプリンクラー用フレキシブル配管に於いて、当該スプリンクラー用フレキシブル配管は、筒状のアルミニウム層１ａの内面側と外面側とにそれぞれ合成樹脂製の内層１ｂと合成樹脂製の外層１ｃとを形成した可撓性を有するアルミ３層管１と、基端部がアルミ３層管１の両端部にそれぞれ接続された短尺の消防用保形ホース２と、一方の消防用保形ホース２の先端部に設けられ、給水管に接続される接続金具３と、他方の消防用保形ホース２の先端部に設けられ、スプリンクラーヘッドに接続されるヘッド接続金具４とから成る。【選択図】      図１
2014150983.tif 000002
【特許請求の範囲】
【請求項１】
一端部が給水管に接続されると共に、他端部がスプリンクラーヘッドに接続されるスプリンクラー用フレキシブル配管に於いて、当該スプリンクラー用フレキシブル配管は、筒状のアルミニウム層（１ａ）の内面側と外面側とにそれぞれ合成樹脂製の内層（１ｂ）と合成樹脂製の外層（１ｃ）とを形成した可撓性を有するアルミ３層管（１）と、基端部がアルミ３層管（１）の両端部にそれぞれ接続された短尺の消防用保形ホース（２）と、一方の消防用保形ホース（２）の先端部に設けられ、給水管に接続される接続金具（３）と、他方の消防用保形ホース（２）の先端部に設けられ、スプリンクラーヘッドに接続されるヘッド接続金具（４）とを備えていることを特徴とするスプリンクラー用フレキシブル配管。
【請求項２】
アルミ３層管（１）の端部と消防用保形ホース（２）の基端部を筒状の拡管ニップル（６）に外嵌し、少なくとも一つの筒状のカシメリング（７），…によりアルミ３層管（１）の端部と消防用保形ホース（２）の基端部を拡管ニップル（６）へかしめ固定してアルミ３層管（１）の端部と消防用保形ホース（２）の基端部を接続すると共に、拡管ニップル（６）の内径とアルミ３層管（１）の内径を同等として流水摩擦抵抗を小さくしたことを特徴とする請求項１に記載のスプリンクラー用フレキシブル配管。
【発明の詳細な説明】
【技術分野】
【０００１】
本発明は、主にホテル、デパート、劇場、商業ビル、学校、病院、工場及び倉庫等の建物に設置されるスプリンクラー設備に用いられ、建物の天井裏に配管された給水管と天井に設置された複数のスプリンクラーヘッドとを連通状に接続するスプリンクラー用フレキシブル配管の改良に係り、位置決めや施工がし易いと共に、加圧時の伸びが少なく、施工時の配管経路が保たれて柱や壁、天井等と緩衝せず、また、地震時には、給水管等の固定配管やスプリンクラーヘッド等へのダメージを少なくできるようにしたスプリンクラー用フレキシブル配管に関するものである。
【背景技術】
【０００２】
一般に、ホテルやデパート等の建物に於いては、建物にスプリンクラー設備を設置することが義務付けられている。
【０００３】
このスプリンクラー設備の設置に際しては、設置対象とする区画まで配管された給水管にヘッダー（多口継手）を設置し、そのヘッダーと天井に設置した複数のスプリンクラーヘッドとを天井裏に配設したスプリンクラー用配管により接続するようにしていた。
【０００４】
従来、スプリンクラー設備に用いるスプリンクラー用配管としては、固定配管（配管用炭素鋼鋼管）、ステンレスパイプを使用した蛇腹構造のフレキシブル配管、ポリエチレン管等の合成樹脂管、両端部に金属製の接続金具を取り付けたアルミ３層管がそれぞれ使用されていた（例えば、特許文献１、特許文献２、特許文献３及び特許文献４参照）。
【０００５】
しかし、上述した各スプリンクラー用配管には、次のような問題点があった。
【０００６】
即ち、固定配管（配管用炭素鋼鋼管）は、スプリンクラーヘッドまでの配管の位置決め（配管の水平位置の位置決めと配管の垂直位置の位置決めの両方）が難しく、施工に時間がかかって施工コストも大きいと云う問題があった。
また、地震発生時には、配管が固定状態になっているため、地震の振動に対して固定配管自体やスプリンクラーヘッド等がダメージを受け易いと云う問題があった。
【０００７】
ステンレスパイプを使用した蛇腹構造のフレキシブル配管は、初期状態に対して加圧時の伸びが大きいため、工場生産時に加圧テストをすると使用できなくなるので、製造工程の管理のみで、その品質を担保する必要があった。また、施工後の通水テスト時に蛇腹部分が大きく伸びて柱や壁、天井等と干渉し易いと云う問題があった。
また、蛇腹構造のフレキシブル配管は、長いものを造ることが難しく、長くても概ね３．５ｍ程度であった。
更に、蛇腹構造のフレキシブル配管は、通水時の圧力損失が大きく、送水用のポンプが大型化すると云う問題もあった。
【０００８】
ポリエチレン管等の合成樹脂管は、蛇腹構造のフレキシブル配管と同様に初期状態に対して加圧時の伸びが大きく、施工後の通水テスト時に大きく伸びて柱等と干渉し易いと云う問題があった。
また、合成樹脂管は、曲げ半径が大きいため、末端部の角度調整のために必要以上の長さを必要し、長めの合成樹脂管を使用しなければならなかった。
【０００９】
アルミ３層管は、小口径になるほど、曲げ半径が小さくなって配管し易くなるが、この場合、流水摩擦が大きくなるので、一定以上の口径（内径が１５ｍｍ以上）を必要とした。その場合には、アルミ３層管の曲げ半径が大きくなり且つ硬くなるので、施工時に両端部に設けた接続金具を給水管及びスプリンクラーヘッドにそれぞれ接続する際に、位置決めが難しくなると共に、他の部品にストレスを与えると云う問題があった。
【先行技術文献】
【特許文献】
【００１０】
【特許文献１】特開平８−２８０８３７号公報
【特許文献２】特開２００５−２７７６９号公報
【特許文献３】特開平１０−１１８２１９号公報
【特許文献３】特開２００５−１８５５０８号公報
【発明の概要】
【発明が解決しようとする課題】
【００１１】
本発明は、このような問題点に鑑みて為されたものであり、その目的は、位置決めや施工がし易いと共に、加圧時の伸びが少なく、工場生産時に耐圧テストが実施できて品質管理が容易であり、施工時の配管経路が保たれて柱や壁、天井等と緩衝せず、また、地震時には、給水管等の固定配管やスプリンクラーヘッド等へのダメージを少なくできるようにしたスプリンクラー用フレキシブル配管を提供することにある。
【課題を解決するための手段】
【００１２】
上記目的を達成するために、本発明の請求項１の発明は、一端部が給水管に接続されると共に、他端部がスプリンクラーヘッドに接続されるスプリンクラー用フレキシブル配管に於いて、当該スプリンクラー用フレキシブル配管は、筒状のアルミニウム層の内面側と外面側とにそれぞれ合成樹脂製の内層と合成樹脂製の外層とを形成した可撓性を有するアルミ３層管と、基端部がアルミ３層管の両端部にそれぞれ接続された短尺の消防用保形ホースと、一方の消防用保形ホースの先端部に設けられ、給水管に接続される接続金具と、他方の消防用保形ホースの先端部に設けられ、スプリンクラーヘッドに接続されるヘッド接続金具とを備えていることに特徴がある。
【００１３】
本発明の請求項２の発明は、請求項１に記載の発明に於いて、アルミ３層管の端部と消防用保形ホースの基端部を筒状の拡管ニップルに外嵌し、少なくとも一つの筒状のカシメリングによりアルミ３層管の端部と消防用保形ホースの基端部を拡管ニップルへかしめ固定してアルミ３層管の端部と消防用保形ホースの基端部を接続すると共に、拡管ニップルの内径とアルミ３層管の内径を同等として流水摩擦抵抗を小さくしたことに特徴がある。
【発明の効果】
【００１４】
本発明のスプリンクラー用フレキシブル配管は、可撓性を有するアルミ３層管の両端部に短尺状の消防用保形ホースをそれぞれ接続し、一方の消防用保形ホースの先端部に給水管に接続される接続金具を設けると共に、他方の消防用保形ホースの先端部にスプリンクラーヘッドに接続されるヘッド接続金具を設ける構成としているため、アルミ３層管に必要な口径を確保し、アルミ３層管の曲げ半径が大きくなり且つ硬くなっても、アルミ３層管の両端部に接続した消防用保形ホースの持っているやわらかさで曲げが硬くなることを吸収することができ、位置決めや施工が極めてし易くなる。
【００１５】
また、本発明のスプリンクラー用フレキシブル配管は、アルミ３層管及び消防用保形ホースで形成されているため、加圧時の伸びが少なく、工場生産時に耐圧テストが実施できて品質管理が容易であり、施工時の配管経路が保たれて柱や壁、天井等と緩衝すると云うことがない。
【００１６】
更に、本発明のスプリンクラー用フレキシブル配管は、アルミ３層管の曲げ性と消防用保形ホースの持っているやわらかさとで、地震時に給水管等の固定配管やスプリンクラーヘッド等へのダメージを少なくすることができる。
【００１７】
そのうえ、本発明のスプリンクラー用フレキシブル配管は、アルミ３層管の端部と消防用保形ホースの基端部を筒状の拡管ニップルに外嵌し、アルミ３層管及び消防用保形ホースの端部外側に嵌め込んだ筒状のカシメリングをかしめることによって、アルミ３層管の端部と消防用保形ホースの基端部とを接続するようにしているため、アルミ３層管と消防用保形ホースとの接続を簡単且つ容易に行える。
【００１８】
加えて、本発明のスプリンクラー用フレキシブル配管は、拡管ニップルの内径とアルミ３層管の内径を同等としているため、流水摩擦抵抗が小さくなって通水をスムーズに行える。
【図面の簡単な説明】
【００１９】
【図１】本発明の実施形態に係るスプリンクラー用フレキシブル配管の一部省略断面図である。
【図２】スプリンクラー用フレキシブル配管のアルミ３層管と消防用保形ホースの接続部の拡大断面図である。
【図３】アルミ３層管と消防用保形ホースの接続部の他の例を示す拡大断面図である。
【図４】アルミ３層管と消防用保形ホースの接続部の更に他の例を示す拡大断面図である。
【図５】アルミ３層管と消防用保形ホースの接続部の更に他の例を示す拡大断面図である。
【図６】スプリンクラー用フレキシブル配管の一端部（給水管側）の拡大断面図である。
【図７】スプリンクラー用フレキシブル配管の他端部（スプリンクラーヘッド側）の拡大断面図である。
【発明を実施するための形態】
【００２０】
以下、本発明の実施形態を図面に基づいて詳細に説明する。
図１は本発明の実施形態に係るスプリンクラー用フレキシブル配管を示し、当該スプリンクラー用フレキシブル配管は、一端部が建物の天井裏に配管した給水管（図示省略）に接続されると共に、他端部が天井に設置したスプリンクラーヘッド（図示省略）に接続されており、給水管からスプリンクラーヘッドへ通水するものである。
【００２１】
即ち、スプリンクラー用フレキシブル配管は、可撓性を有するアルミ３層管１と、アルミ３層管１の両端部にそれぞれ接続された短尺の消防用保形ホース２と、一方の消防用保形ホース２の先端部にネジ式継手５を介して設けられ、給水管に設けたヘッダー又は分岐管（何れも図示省略）に接続される接続金具３と、他方の消防用保形ホース２の先端部にネジ式継手５を介して設けられ、スプリンクラーヘッドに接続されるヘッド接続金具４とを備えている。
【００２２】
具体的には、前記アルミ３層管１は、図２に示す如く、薄肉筒状のアルミニウム層１ａの内面側に電子架橋ポリエチレンから成る内層１ｂを形成すると共に、アルミニウム層１ａの外面側に高密度ポリエチレンから成る外層１ｃを形成し、アルミニウム層１ａと内層１ｂ並びにアルミニウム層１ａと外層１ｃとを接着性ポリオレフィンから成る接着性樹脂層によりそれぞれ接着したものである。
尚、アルミ３層管１は、アルミニウム層１ａの内面側に電子架橋ポリエチレンから成る内層１ｂを形成し、アルミニウム層１ａの外面側に高密度ポリエチレンから成る外層１ｃを形成しているので、強度及び耐食性等が増大し、また、配管の際に湾曲させたときに必要な可撓性が得られると共に、湾曲させた際に座屈することなく配管が可能となる。
【００２３】
この実施形態に於いては、アルミ３層管１には、呼び径φ２０ｍｍ、外径２６．０ｍｍ、管厚４．００ｍｍ、内径範囲１７．５ｍｍ〜１８．４ｍｍ、アルミニウム層１ａ厚０．２ｍｍ、長さ数十ｃｍ〜二十数ｍ、重量０．３１ｋｇｆ／ｍのアルミ３層管１が使用されている。
【００２４】
前記短尺の消防用保形ホース２は、合成繊維製の経糸（たて糸）と合成繊維製の緯糸（よこ糸）とを筒状に織成して成るジャケットと、ジャケットの内周面にライニングされた合成樹脂製又はゴム製の円筒状の内張り層とから構成されている。
ここで短尺とは、スプリンクラー用フレキシブル配管を建物の天井裏に配管したときに、消防用保形ホース２をどの方向へも自由に曲げることができて消防用保形ホース２の先端部に設けた接続金具３又はヘッド接続金具４を給水管又はスプリンクラーヘッドにそれぞれ接続できる必要最小限の長さであり、１００ｍｍ〜５００ｍｍ位の長さを指している。
【００２５】
前記ジャケットは、経糸に耐久性に優れた複数本のポリエステル製の糸（例えば、ポリエステル繊維糸又はポリエステルモノフィラメント糸）を使用すると共に、緯糸に耐久性に優れた１本のポリエステル製の糸（例えば、ポリエステル繊維糸）を使用したものであり、前記経糸と緯糸とを筒状に織成して形成したものである。この実施形態では、ジャケットは、筒状の綾織構造に構成されている。
【００２６】
一方、前記内張り層は、ジャケットの内周面に耐薬品性に優れ且つ軽くて強靭なポリウレタン樹脂から成るライニング材を筒状に内張りすることにより形成されている。
この内張り層の厚みは、ジャケットのシール性を確保できる範囲でジャケットの柔軟性及び可撓性を阻害しないように可及的に薄く設定されている。
【００２７】
この実施形態に於いては、消防用保形ホース２には、長さが１００ｍｍ〜５００ｍｍで口径が２０Ａの株式会社横井製作所製の消防用保形ホース２が使用されている。
【００２８】
尚、上記の実施形態に於いては、保形ホースのジャケットを筒状の綾織構造としたが、他の実施形態に於いては、ジャケットを筒状の平織構造としても良い。
また、上記の実施形態に於いては、緯糸に一種類の緯糸を使用するようにしたが、他の実施形態に於いては、緯糸に二種類の緯糸を使用するようにしても良い。
【００２９】
前記アルミ３層管１と消防用保形ホース２とは、図２に示す如く、アルミ３層管１の端部と消防用保形ホース２の基端部を筒状の拡管ニップル６の両端部にそれぞれ外嵌し、アルミ３層管１の端部外側及び消防用保形ホース２の基端部外側にそれぞれ嵌め込んだ二つの筒状のカシメリング７，７′をかしめることによって、気密状態で且つ連通状に接続されている。
【００３０】
前記拡管ニップル６は、金属材（例えば、黄銅）により外周面が段付きの短い筒状に形成されていると共に、その内径がアルミ３層管１の内径と同等に形成されており、拡管ニップル６をアルミ３層管１の端部に挿入する前に、アルミ３層管１の内径を拡張して挿入する。
また、拡管ニップル６の大径部分の外径は、消防用保形ホース２の内径とほぼ同じに設定されている。
更に、拡管ニップル６の中間部外周面には、フランジ６ａが形成されていると共に、拡管ニップル６の両端部外周面は、アルミ３層管１の端部及び消防用保形ホース２の基端部が抜け難いようにそれぞれ竹の子状に形成されている。
尚、アルミ３層管１の端部が外嵌される拡管ニップル６の小径部分の外周面端部には、抜け止め用の環状突起６ｂが形成されている。
【００３１】
前記二つのカシメリング７，７′は、金属材（例えば、アルミ）により、拡管ニップル６の小径側・大径側のそれぞれの長さよりも少し長めの筒状に形成されている。
このカシメリング７，７′の内径は、アルミ３層管１の端部及び消防用保形ホース２の基端部に楽に外嵌できる程度に設定されている。
【００３２】
尚、上述した二つのカシメリング７，７′を一体とし、図３〜図５に示すようにアルミ３層管１と消防用保形ホース２を一つのカシメリング７″でかしめることもできる。
【００３３】
図３はアルミ３層管１と消防用保形ホース２の接続部の他の例を示す拡大断面図であり、筒状の拡管ニップル６の外周面にアルミ３層管１の端部と消防用保形ホース２の基端部を重ねた状態で順次外嵌し、消防用保形ホース２の基端部外側に嵌め込んだ一つの筒状のカシメリング７″をかしめることによって、アルミ３層管１の端部と消防用保形ホース２の基端部を気密状態で且つ連通状に接続したものである。
【００３４】
図３に示す拡管ニップル６は、金属材（例えば、黄銅）により短い筒状に形成されていると共に、その内径がアルミ３層管１の内径と同等に形成されている。
また、拡管ニップル６の一端部外周面には、フランジ６ａが形成されていると共に、拡管ニップル６の他端部外周面には、抜け止め用の環状突起６ｂが形成されている。
【００３５】
一方、図３に示すカシメリング７′は、金属材（例えば、アルミ）により拡管ニップル６の長さよりも少し長めの筒状に形成されており、その内周面には、拡管ニップル６の外周面に対向する二つの環状突部７ａが形成されている。
このカシメリング７″の内径は、消防用保形ホース２の基端部に楽に外嵌できる程度に設定されている。
【００３６】
また、図４はアルミ３層管１と消防用保形ホース２の接続部の更に他の例を示す拡大断面図であり、アルミ３層管１の端部と消防用保形ホース２の基端部を筒状の拡管ニップル６の両端部に突き合せ状態でそれぞれ外嵌し、アルミ３層管１の端部外側及び消防用保形ホース２の基端部外側に跨る状態で嵌め込んだ一つの筒状のカシメリング７″をかしめることによって、アルミ３層管１の端部と消防用保形ホース２の基端部を気密状態で且つ連通状に接続したものである。
【００３７】
図４に示す拡管ニップル６は、金属材（例えば、黄銅）により外周面が段付きの短い筒状に形成されていると共に、その内径がアルミ３層管１の内径と同等に形成されている。
また、拡管ニップル６の両端部外周面は、アルミ３層管１の端部及び消防用保形ホース２の基端部が抜け難いようにそれぞれ竹の子状に形成されていると共に、小径部分の外周面端部には、環状突起６ｂが形成されている。
【００３８】
一方、図４に示すカシメリング７″は、金属材（例えば、アルミ）により拡管ニップル６の長さよりも少し長めの筒状に形成されている。
このカシメリング７″の内径は、アルミ３層管１の端部及び消防用保形ホース２の基端部に楽に外嵌できる程度に設定されている。
【００３９】
更に、図５はアルミ３層管１と消防用保形ホース２の接続部の更に他の例を示す拡大断面図であり、アルミ３層管１の端部と消防用保形ホース２の基端部を筒状の拡管ニップル６の両端部に突き合せ状態でそれぞれ外嵌し、アルミ３層管１の端部外側及び消防用保形ホース２の基端部外側に跨る状態で嵌め込んだ一つの筒状のカシメリング７″をかしめることによって、アルミ３層管１の端部と消防用保形ホース２の基端部を気密状態で且つ連通状に接続したものである。
【００４０】
図５に示す拡管ニップル６は、金属材（例えば、黄銅）により外周面が段付きの短い筒状に形成されていると共に、その内径がアルミ３層管１の内径と同等に形成されている。
また、アルミ３層管１の端部が外嵌される拡管ニップル６の小径部分の外周面端部には、抜け止め用の環状突起６ａが形成されていると共に、消防用保形ホース２の基端部が外嵌される拡管ニップル６の大径部分の外周面には、２本の環状溝６ｃが形成されている。
【００４１】
一方、図５に示すカシメリング７は、金属材（例えば、アルミ）により拡管ニップル６の長さよりも少し長めの筒状に形成されており、その内周面には、拡管ニップル６の小径部分の外周面に対向する二つの環状突部７ａと、拡管ニップル６の大径部分の２本の環状溝６ｃに対向する二つの環状突部７ａとがそれぞれ形成されている。
このカシメリング７の内径は、アルミ３層管１の端部及び消防用保形ホース２の端部に楽に外嵌できる程度に設定されている。
【００４２】
そして、一方の消防用保形ホース２の先端部には、図３に示す如く、給水管に設けたヘッダー又は分岐管に接続される接続金具３がネジ式継手５を介して取り付けられていると共に、他方の消防用保形ホース２の先端部には、図４に示す如く、スプリンクラーヘッドに接続されるヘッド接続金具４がネジ式継手５を介して取り付けられている。
【００４３】
前記接続金具３は、金属材（例えば、鋼材又は黄銅）により両端部外周面に雄ネジ３ａを形成した筒状に形成されている。この実施形態では、接続金具３には、ニップル金具が使用されている。
【００４４】
前記ヘッド接続金具４は、金属材（例えば、鋼材又は黄銅）により基端部外周面に雄ネジ４ａを、また、先端部内周面に雌ネジ４ｂをそれぞれ形成したストレートな筒状に形成されている。
【００４５】
前記ネジ式継手５は、一端部外周面が竹の子状に形成されて消防用保形ホース２の先端部に挿着されると共に、他端部に外周縁部に係止用フランジ５ａ′を備えた筒状の差込み金具５′と、一端部が差込み金具５′の他端部外周面に回転自在且つ軸線方向へ移動自在に外嵌され、他端部内周面に接続金具３の雄ネジ３ａ又はヘッド接続金具４の雄ネジ４ａにそれぞれ着脱自在に螺着される雌ネジ５ａ″を形成した袋ナット構造の雌ネジ金具５″とから構成されている。
【００４６】
このネジ式継手５は、差込み金具５′の一端部を消防用保形ホース２の基端部に挿入し、消防用保形ホース２の先端部外側に嵌め込んだ筒状の第２カシメリング８（アルミ製）をかしめることによって、消防用保形ホース２の先端部に気密状態で且つ連通状に接続されている。
【００４７】
また、ネジ式継手５の雌ネジ金具５″内にパッキン９を挿入し、当該雌ネジ金具５″の雌ネジ５ａ″を接続金具３の一方の雄ネジ３ａ又はヘッド接続金具４の雄ネジ４ａに螺合し、雌ネジ金具５″を接続金具３側又はヘッド接続金具４側へ締め込んで行くと、雌ネジ金具５″の一端部内周縁部が差込み金具５′の係止用フランジ５ａ′に当接し、差込み金具５′を接続金具３側又はヘッド接続金具４側へ押圧し、その結果、パッキン９が差込み金具５′の端面と接続金具３の端面又はヘッド接続金具４の端面とにより挟持されて密着し、連結部分のシールが良好且つ確実に行われる。
【００４８】
而して、上述したスプリンクラー用フレキシブル配管に於いては、設置対象とする区画まで配管された天井裏の給水管に設けたヘッダーに接続金具３を接続し、また、天井に設置したスプリンクラーヘッドにヘッド接続金具４を接続することによって、建物の天井裏に配管される。
【００４９】
このスプリンクラー用フレキシブル配管は、アルミ３層管１の両端部に短尺状の消防用保形ホース２をそれぞれ接続し、一方の消防用保形ホース２の先端部に給水管に接続される接続金具３を設けると共に、他方の消防用保形ホース２の先端部にスプリンクラーヘッドに接続されるヘッド接続金具４を設ける構成としているため、アルミ３層管１に必要な口径を確保し、アルミ３層管１の曲げ半径が大きくなり且つ硬くなっても、アルミ３層管１の両端部に接続した消防用保形ホース２の持っているやわらかさで曲げが硬くなることを吸収することができ、位置決めや施工が極めてし易くなる。
また、このスプリンクラー用フレキシブル配管は、アルミ３層管１及び消防用保形ホース２で形成されているため、加圧時の伸びが少なく、工場生産時に耐圧テストが実施できて品質管理が容易であり、施工時の配管経路が保たれて柱や壁、天井等と緩衝すると云うことがない。
更に、このスプリンクラー用フレキシブル配管は、アルミ３層管１の曲げ性と消防用保形ホース２の持っているやわらかさとで、地震時に給水管等の固定配管やスプリンクラーヘッド等へのダメージを少なくできる。
【００５０】
尚、上記の実施形態に於いては、消防用保形ホース２の端部にネジ式継手５を介して接続金具３又はヘッド接続金具４を取り付けるようにしたが、他の実施形態に於いては、ネジ式継手５を省略し、消防用保形ホース２の端部に直接接続金具３又はヘッド接続金具４を取り付けるようにしても良い。
また、接続金具３及びヘッド接続金具４の形状及び構造も、上記実施形態のものに限定されるものではなく、給水管及びスプリンクラーヘッドに接続することが出来れば、如何なる形状及び構造のものであっても良い。
【符号の説明】
【００５１】
１はアルミ３層管、１ａはアルミニウム層、１ｂは内層、１ｃは外層、２は消防用保形ホース、３は接続金具、３ａは接続金具の雄ネジ、４はヘッド接続金具、４ａはヘッド接続金具の雄ネジ、４ｂはヘッド接続金具の雌ネジ、５はネジ式継手、５′は差込み金具、５ａ′は係止用フランジ、５″は雌ネジ金具、５ａ″は雌ネジ金具の雌ネジ、６は拡管ニップル、６ａは環状突起、６ｂは環状溝、７，７′はカシメリング、７″は一体型のカシメリング、８は第２カシメリング、９はパッキン。
【図１】
2014150983.tif 000003
【図２】
2014150983.tif 000004
【図３】
2014150983.tif 000005
【図４】
2014150983.tif 000006
【図５】
2014150983.tif 000007
【図６】
2014150983.tif 000008
【図７】
2014150983.tif 000009